(57)【特許請求の範囲】
【請求項１】
運搬用把手を備える屋外通信装置の設置構造であって、
前記屋外通信装置を設置金具に予備載置した際に、前記屋外通信装置を一時的に安定な傾斜状態に保持するための傾斜形状部を前記屋外通信装置の底面に含み、
前記運搬用把手は、前記傾斜形状部を含む面と異なる面に備えられ、前記屋外通信装置を前記設置金具へ固定する固定部材を兼ねる構造を有すること、
を特徴とする、設置構造。
【請求項２】
前記屋外通信装置の前記運搬用把手に、設置金具の装置固定ネジ部に対応する位置に装置固定ネジ穴を有することを特徴とする、請求項１に記載の設置構造。
【請求項３】
前記傾斜形状部はその断面が直線又は円弧状曲線を有することを特徴とする、請求項１に記載の設置構造。
【請求項４】
運搬用把手を備える屋外通信装置であって、
前記屋外通信装置を設置金具に予備載置した際に、前記屋外通信装置を一時的に安定な傾斜状態に保持するための傾斜形状部を前記屋外通信装置の底面に含み、
前記運搬用把手は、前記傾斜形状部を含む面と異なる面に備えられ、前記屋外通信装置を前記設置金具へ固定する固定部材を兼ねる構造を有すること、
を特徴とする、屋外通信装置。
【請求項５】
前記屋外通信装置の前記運搬用把手に、設置金具の装置固定ネジ部に対応する位置に装置固定ネジ穴を有することを特徴とする、請求項４に記載の屋外通信装置。
【請求項６】
前記傾斜形状部はその断面が直線又は円弧状曲線を有することを特徴とする、請求項４に記載の屋外通信装置。
【請求項７】
屋外通信装置の底面の一部に傾斜形状部を設けることにより、該屋外通信装置を設置金具に予備載置した際に該屋外通信装置を一時的に安定な前傾状態に保持することを特徴とする、屋外通信装置の設置方法。
【発明の詳細な説明】
【技術分野】
【０００１】
本発明は屋外通信装置の設置構造及びその設置方法に関し、中でも、高所等の設置困難な箇所に設置される屋外通信機器の設置構造及びその設置方法に関する。
【背景技術】
【０００２】
昨今の通信業界の急速な発展により、多数の通信装置を屋外、特に鉄塔などの高所といった足場面積の少ない場所に設置する必要があり、そのような場所での設置作業を考慮するとできるだけ簡易で確実な屋外通信装置の設置構造及び設置方法が望まれる。
【０００３】
また、高所支柱や壁に設置される通信装置の場合、足場が狭い場所での作業となる場合が多く、装置を支えながら取り付け作業をしなければならない。そのため作業が不安定となり、作業中に装置を破損する恐れがある。
【０００４】
特許文献１では、屋外通信機器の本体部と放熱部を分離し、本体部と放熱部の接続にガイドピンとハンドルの組み合わせで容易に取り付けできる構造が提案されている。
【０００５】
【特許文献１】特開２００２−１１１２３５号公報
【発明の開示】
【発明が解決しようとする課題】
【０００６】
ところで、従来の屋外通信装置においては、設置用構造部品と運搬・搬送用部品（把手）とは別構造、別部品となっている。通信装置の設置作業における把手の使用は、ほぼ初期設置作業のときのみであり、鉄塔などの高所で足場面積が少ない場所での設置性を考慮すると削除することが好ましい。しかし把手は作業性上必須な部品であり、削除することは難しい。
【０００７】
さらには、足場面積が少ない場所で、不安定な装置を支えながら設置作業を実施しなければならず、設置作業者への労力負担が大きく、設置時に装置の破損等の事故が発生する恐れがあるという問題は未だ十分解決されたとはいえない。
【０００８】
本発明は、装置の構成部品数量を低減させるとともに、装置の設置作業が容易となる屋外通信装置の設置構造及び設置方法を提供することである。
【課題を解決するための手段】
【０００９】
本発明の第１の視点において、屋外通信装置の運搬用把手が該屋外通信装置の固定用部材を兼ねる構造であることを特徴とする、屋外通信装置の設置構造である。
【００１０】
前記屋外通信装置の前記運搬用把手に、設置金具の装置固定ネジ部に対応する位置に装置固定ネジ穴を有することが好ましい。
【００１１】
前記屋外通信装置の底面の一部に、前記屋外通信装置を設置金具に予備載置した際に前記屋外通信装置を一時的に安定な前傾状態に保持するための傾斜形状部を含むことが好ましい。
【００１２】
前記傾斜形状部はその断面が直線又は円弧状曲線を有することが好ましい。
【００１３】
本発明の第２の視点において、屋外通信装置の運搬用把手が該屋外通信装置の固定用部材を兼ねる構造であることを特徴とする、屋外通信装置である。
【００１４】
前記屋外通信装置の前記運搬用把手に、設置金具の装置固定ネジ部に対応する位置に装置固定ネジ穴を有することが好ましい。
【００１５】
前記屋外通信装置の底面の一部に、前記屋外通信装置を設置金具に予備載置した際に前記屋外通信装置を一時的に安定な前傾状態に保持するための傾斜形状部を含むことが好ましい。
【００１６】
前記傾斜形状部はその断面が直線又は円弧状曲線を有することが好ましい。
【００１７】
本発明の第３の視点において、屋外通信装置の底面の一部に傾斜形状部を設けることにより、該屋外通信装置を設置金具に予備載置した際に該屋外通信装置を一時的に安定な前傾状態に保持することを特徴とする、屋外通信装置の設置方法である。
【発明の効果】
【００１８】
第１の効果は、装置構成部品数量を低減できることである。その理由は一つの部品に、運搬・搬送用の把手機能と装置を固定する機能を併せ持せたためである。
【００１９】
第２の効果は、装置設置作業が容易となることである。その理由は、通信装置の設置金具底面との接触部に設けた傾斜により、設置金具に安定して立掛け仮置きできるため、手を一旦離してから設置作業ができるためである。
【発明を実施するための最良の形態】
【００２０】
本発明は、屋外に設置される通信装置において、装置運搬用の把手を、装置設置時の固定部材として兼用し、設置金具に固定できる構造とする。通常はボルト等のネジ固定が用いられる。さらには、装置の設置底面部形状を一部傾斜形状とし、設置金具に前傾させた形で安定的に一時仮置き（予備載置）できることで設置作業性を向上させた構造としている。傾斜形状部の目的は通信装置を前傾させやすくするためである。従って傾斜形状部の断面は直線状でも良いし、さらに通信装置の押し込み時の摩擦抵抗を考慮して円弧状の曲面としてもよい。ただし傾斜状態での仮置き時（予備載置時）に滑らない程度の摩擦が必要である。
【００２１】
また、既存の設置金具に対して新たに通信装置を取り付ける場合でも対応可能であり、また新たに設置金具とそれに対応する把手を有する通信装置を用いる場合でも対応可能である。
【実施例】
【００２２】
図１は、本発明の一実施例に係る通信装置１とその取付構造を示す全体図である。通信装置１は設置にあたり前後方向及び上下方向が決まっている。また、通信装置１は通常縦置きに設置され、その両側側面には運搬用の把手２が形成されている。そこで設置にあたっては、作業者は通信装置１の両側にある把手２等を持って正しい前後方向及び上下方向で、あらかじめ壁面５に固定されている設置金具３にはめ込み、最後に装置取付ボルト６で固定する。
【００２３】
図２は、設置金具３を壁面５に固定する取付図である。設置金具３は図２に示すように、設置される壁面５の上部ボルト７に引っ掛けた後、上部ボルト７及び下部ボルト８によってあらかじめ固定されているか、又は屋外通信装置１の取り付け作業時に、屋外通信装置１の取り付け作業に先立ち壁面５に同様に取り付けされる。
【００２４】
図２に示すように、設置金具３は鋼板等で箱型に成形した形状であり、通信装置１を支持載置する底面部４と、把手２をボルト固定するための受け座（曲げ形状部）３ａを有する。受け座３ａは、壁面５に垂直な設置金具３の側面の端部から壁面５に略平行になるように曲げられた部分で、通信装置１の把手２に対応する部分である。また、受け座３ａには、図３に示すように把手２の装置固定ネジ穴１０と対応する位置にネジを形成した装置固定ネジ部９を設け、通信装置１をボルトで装置固定ネジ穴１０を通して装置固定ネジ部９にボルト固定できるようになっている。
【００２５】
通信装置１の側面には把手２が通信装置１の本体と一体で成形されているか、又は別部品として装置本体に取り付けてもよい。把手２は、運搬用及び取付作業用のものであり、通信装置１の両側面から側方に突出して取り付けられ、通常は手で持ちやすいようにＵ字形又は矩形状である。図３に示すように、把手２には通信装置１本体を受け座３ａにボルト固定するための装置固定ネジ穴１０が開けられている。また、後述するように通信装置１の底面の、設置金具３の底面部４に当接する部分にはその一部に傾斜形状部１３を有する。
【００２６】
通信装置１は、図３、４に示すように、設置金具３に縦方向に設置される（図３、４の白矢印の方向に設置される）。通信装置１の底面の、設置金具３の底面部４に当接する部分には、切り欠き状の傾斜形状部１３が形成されている（図４の（Ａ）部拡大図参照）。傾斜形状部１３の目的は、後述のごとく通信装置１をいったん設置金具３に安定的に前傾させるためである。従ってその位置はおよそ通信装置１の前方側（取り付け方向側）半分程度ないしそれ以下の部分となる。なお、図４では傾斜形状部１３の断面形状は直線的であるが、円弧状であってもよい。また、傾斜形状とするのは通信装置１底面の端から端まで傾斜形状であってもよいし、設置金具３の底面部４に当接する範囲に余裕をみた部分のみであってもよい。
【００２７】
図５（ａ）に示すように、通信装置１を設置金具３に搭載する際、いったんこの傾斜形状部１３を設置金具３の底面部４に載せて前傾させると、通信装置１は把手２が設置金具３の受け座３ａに接触し、傾いた状態（予備載置状態）で安定する。これにより、通信装置１は設置金具３により一旦保持されるかたちとなるため、設置作業者は通信装置１から手を離すことが可能となる。傾斜形状がない場合は、安定するほど十分傾かせることができない。この後、図５（ｂ）に示すように、通信装置１の下側部分を押し込むことにより、把手２と設置金具３の受け座３ａを密着させる。
【００２８】
さらに図６に示すように、装置取付ボルト６を把手２に設けてある装置固定ネジ穴１０に通し、受け座３ａに設けてある装置固定ネジ部９に締め付けることにより、通信装置１と設置金具３が固定される。
【００２９】
以上、本発明を上記実施形態に即して説明したが、本発明は上記実施形態の構成にのみ制限されるものでなく、本発明の範囲内で当業者であればなし得るであろう各種変形、修正を含むことは勿論である。
なお、ここに、まとめとして、本発明の好ましい実施形態を付記する。
（付記１）
運搬用把手を備える屋外通信装置の設置構造であって、
前記屋外通信装置を設置金具に予備載置した際に、前記屋外通信装置を一時的に安定な傾斜状態に保持するための傾斜形状部を前記屋外通信装置の底面に含み、
前記運搬用把手は、前記傾斜形状部を含む面と異なる面に備えられ、前記屋外通信装置を前記設置金具へ固定する固定部材を兼ねる構造を有すること、
を特徴とする、設置構造。
（付記２）
前記屋外通信装置の前記運搬用把手に、設置金具の装置固定ネジ部に対応する位置に装置固定ネジ穴を有することを特徴とする、付記１に記載の設置構造。
（付記３）
前記傾斜形状部はその断面が直線又は円弧状曲線を有することを特徴とする、付記１に記載の設置構造。
（付記４）
運搬用把手を備える屋外通信装置であって、
前記屋外通信装置を設置金具に予備載置した際に、前記屋外通信装置を一時的に安定な傾斜状態に保持するための傾斜形状部を前記屋外通信装置の底面に含み、
前記運搬用把手は、前記傾斜形状部を含む面と異なる面に備えられ、前記屋外通信装置を前記設置金具へ固定する固定部材を兼ねる構造を有すること、
を特徴とする、屋外通信装置。
（付記５）
前記屋外通信装置の前記運搬用把手に、設置金具の装置固定ネジ部に対応する位置に装置固定ネジ穴を有することを特徴とする、付記４に記載の屋外通信装置。
（付記６）
前記傾斜形状部はその断面が直線又は円弧状曲線を有することを特徴とする、付記４に記載の屋外通信装置。
（付記７）
屋外通信装置の底面の一部に傾斜形状部を設けることにより、該屋外通信装置を設置金具に予備載置した際に該屋外通信装置を一時的に安定な前傾状態に保持することを特徴とする、屋外通信装置の設置方法。
【図面の簡単な説明】
【００３０】
【図１】本発明の一実施例に係る通信装置とその取付構造を示す全体図である。
【図２】本発明の一実施例に係る設置金具を壁面に取り付ける全体構造図である。
【図３】本発明の一実施例に係る通信装置を設置金具に取り付ける方向を示す取付図である。
【図４】図３を側面から見た図である。
【図５】（ａ）本発明の一実施例に係る通信装置を設置金具に予備載置した状態、（ｂ）次いで押し込んだ後の側面図である。
【図６】本発明の一実施例に係る通信装置を設置金具にボルト固定する取付図である。
【符号の説明】
【００３１】
１  （屋外）通信装置
２  （運搬用）把手
３  設置金具
３ａ  受け座（曲げ形状部）
４  （設置金具の）底面部
５  壁面
６  装置取付ボルト
７  上部ボルト
８  下部ボルト
９  装置固定ネジ部
１０  装置固定ネジ穴
１１  上部コネクタ
１２  下部コネクタ
１３  傾斜形状部
【図１】
0005041365.tif 000002
【図２】
0005041365.tif 000003
【図３】
0005041365.tif 000004
【図４】
0005041365.tif 000005
【図５】
0005041365.tif 000006
【図６】
0005041365.tif 000007